(57)【要約】【課題】情報端末装置においてメモリ機能に格納された情報を選択する際の操作性を良好にする。【解決手段】メモリ機能には複数の情報が蓄積されており、所定の入力操作によって表示部には、複数の情報を識別する属性情報が一括して属性情報一覧画面として表示される。属性情報一覧画面が表示された際、属性情報一覧画面には選択機能ボタンが表示され、選択機能ボタンがタッチ操作されると選択モードに移行する。選択モードにおいて、選択すべき情報を選択する選択信号（例えば、タッチ操作）に応じて属性情報一覧画面から選択すべき情報を選択情報として順次選択する。そして、属性情報一覧画面に表示された実行ボタンがタッチ操作されると、選択情報について予め規定された処理が行われる。【選択図】　　　図４
2004038308.tif 000002
【特許請求の範囲】
【請求項１】
少なくとも１以上の情報を記憶するとともに、前記情報を識別する属性情報を表示部に一覧表示可能な情報端末装置において、
前記属性情報の一覧画面で任意の属性情報に対してポイント操作することにより該ポイント操作された属性情報に対応する情報の表示又は起動する第１モードと、
前記属性情報の一覧表示画面で任意の属性情報に対して順次ポイント操作することにより該ポイント操作された属性情報に対する情報を順次選択候補として追加する第２のモードと、
前記第１のモードと前記第２のモードとを選択的に切り替えるモード選択手段とを有し、
予め定められたポイント操作により、前記第２のモードで選択候補となった少なくとも１以上の情報に対して一括して同じ処理を行うことを特徴とする情報端末装置。
【請求項２】
少なくとも１以上の情報を記憶するとともに、前記情報を表示部に一覧表示可能な情報端末装置において、
揺動又は回動可能であり且つ押圧可能なコントロールスイッチ部と、
前記情報の一覧画面で任意の情報を前記コントロールスイッチ部の揺動又は回動操作により選択し、前記コントロールスイッチ部の押圧操作により該選択した情報を表示又は起動する第３のモードと、
前記情報の一覧表示画面で、任意の情報を前記コントロールスイッチ部の揺動又は回動操作により選択し、前記コントロールスイッチ部の押圧操作により該選択した情報を選択候補として順次追加するとともに、予め定められた他の操作により前記順次追加された選択候補の情報全てを削除する第４のモードとを備え、
前記第３のモードと前記第４のモードとを選択的に切り替え可能にしたことを特徴とする情報端末装置。
【請求項３】
タッチパネルを備えるとともに、記憶している電子メールを前記タッチパネル上に一覧表示可能な情報端末装置において、
前記電子メールの覧画面で任意の電子メールに対してタッチ操作することにより該タッチ操作された電子メールの内容を表示する画面に移行する第５のモードと、
前記電子メールの一覧表示画面で任意の電子メールに対して順次タッチ操作することにより該タッチ操作された電子メールを順次選択候補として追加するとともに、予め定められたタッチ操作により前記順次選択候補として追加された電子メールの全てを削除する第６のモードとを備え、
前記第５のモードと前記第６のモードとをタッチ操作にて選択的に切り替え可能にしたことを特徴とする情報端末装置。
【請求項４】
記憶している受信メールを表示部に一覧表示可能な情報端末装置において、
揺動又は回動可能であり且つ押圧可能なコントロールスイッチ部と、
前記電子メールの一覧画面で任意の電子メールを前記コントロールスイッチ部の揺動又は回動操作により選択し、前記コントロールスイッチ部の押圧操作により該選択した電子メールの内容を表示する画面に移行する第７のモードと、
前記電子メールの一覧表示画面で、任意の電子メールを前記コントロールスイッチ部の揺動又は回動操作により選択し、前記コントロールスイッチ部の押圧操作により該選択した電子メールを選択候補として順次追加するとともに、予め定められた他の操作により前記順次追加された選択候補の電子メール全てを削除する第８のモードとを備え、
前記第７のモードと前記第８のモードとを選択的に切り替え可能にしたことを特徴とする情報端末装置。
【請求項５】
少なくとも１以上の情報を記憶するとともに、前記情報を識別する属性情報を表示部に一覧表示可能な情報端末装置で動作し、
前記属性情報の一覧画面で任意の属性情報に対してポイント操作することにより該ポイント操作された属性情報に対応する情報の表示又は起動する第１ステップと、
前記属性情報の一覧表示画面で任意の属性情報に対して順次ポイント操作することにより該ポイント操作された属性情報に対する情報を順次選択候補として追加する第２のステップと、
前記第１のモードと前記第２のモードとを選択的に切り替えるモード選択ステップと、
予め定められたポイント操作により、前記第２のモードで選択候補となった少なくとも１以上の情報に対して一括して同じ処理を行う処理ステップとを有することを特徴とする情報選択プログラム。
【請求項６】
少なくとも１以上の情報を記憶するとともに、前記情報を表示部に一覧表示可能な情報端末装置で動作し、
前記情報の一覧画面で任意の情報を、揺動又は回動可能であり且つ押圧可能なコントロールスイッチ部の揺動又は回動操作により選択し、前記コントロールスイッチ部の押圧操作により該選択した情報を表示又は起動する第３のステップと、
前記情報の一覧表示画面で、任意の情報を前記コントロールスイッチ部の揺動又は回動操作により選択し、前記コントロールスイッチ部の押圧操作により該選択した情報を選択候補として順次追加するとともに、予め定められた他の操作により前記順次追加された選択候補の情報全てを削除する第４のステップと、
前記第３のステップと前記第４のステップとを選択的に切り替える切り替えステップとを有することを特徴とする情報選択プログラム。
【発明の詳細な説明】
【０００１】
【発明の属する技術分野】
本発明は、複数の情報が蓄積されるメモリ機能と、予め定められた入力操作に応じて複数の情報を識別する属性情報が一括して属性情報一覧画面として表示される表示部とを有する情報端末装置に関し、特に、複数の情報から所望の情報を一括して選択することのできる携帯情報端末装置（Ｐｅｒｓｏｎａｌ　Ｄｉｇｉｔａｌ　Ａｓｓｉｓｔａｎｔ：ＰＤＡ）及びこれに用いられる情報選択プログラムに関するものである。
【０００２】
【従来の技術】
一般に、情報端末装置等においては、複数の情報（例えば、ファイル群等）が蓄積されるメモリを有して、予め定められた入力操作等に応じて複数の情報にそれぞれ対応したこれら情報を識別する属性情報（ファイル名、ファイルサイズ、作成日時など）が一括して表示部に属性情報一覧画面として表示されるものがある。そして、属性情報一覧画面から所望の属性情報を選択すると、当該選択された属性情報に係る情報について所定の処理を実行するようにしている。この所定の処理は、例えば、削除処理であり、属性情報一覧画面から所望の属性情報を選択すると、当該選択された属性情報に係る情報（例えば、ファイル自体）をメモリから削除する。
【０００３】
上述のような情報の削除を行う際には、例えば、属性情報一覧画面においてポイント操作（例えば、マウス等のポインティングデバイスによるポイント操作や、タッチパネルによるタッチ操作（タップ操作））で削除対象の属性情報を選択し、その後、削除ボタン等をタッチ操作等により、削除対象の属性情報に係る情報をメモリから削除するようにしている。
【０００４】
なお、削除以外の起動などの処理を行う際にも、同様にして、処理対象である属性情報をタッチ操作等により選択した後、当該処理にかかる処理機能ボタン等をタッチ操作により、処理対象属性情報に係る情報について当該処理を行うようにしている。また、ドラッグ操作等により、一度に連続する複数の属性情報を選択した後、削除ボタン等のタッチ操作等により簡易に複数の属性情報に係る情報をメモリから削除などを行うものもある。
【０００５】
【発明が解決しようとする課題】
ところで、上述のような情報端末装置において、属性情報一覧画面から所望の属性情報を選択して、当該属性情報に係る情報について削除か起動かの処理を行おうとする際には、まず、処理対象とする情報に係る属性情報をタッチ操作等で選択した後、この選択した属性情報について所望の処理機能ボタンをタッチ操作等すると、選択属性情報に係る情報について当該処理を実行することになる。つまり、複数の属性情報について同一の処理を実行しようとする際には、属性情報一覧画面で属性情報をタッチ操作等により選択した後、さらに処理機能ボタンをタッチ操作等し、その後、再び属性情報一覧画面で属性情報をタッチ操作等により選択した後、さらに処理機能ボタンをタッチ操作等するという操作を繰り返し行う必要がある。
【０００６】
例えば、複数の情報をメモリから削除しようとする際には、属性情報一覧画面で削除対象となる属性情報をタッチ操作等により選択した後、さらに削除機能ボタンをタッチ操作等し、その後、再び属性情報一覧画面で削除対象となる属性情報をタッチ操作等により選択した後、さらに削除機能ボタンをタッチ操作等するという操作を繰り返し行う必要がある。または、ドラッグ操作を行って連続する複数の属性情報を選択して、削除機能ボタンをタッチ操作して、削除を行う必要がある。
【０００７】
このように従来の情報端末装置では、複数の情報を選択して同一の処理を実行する際、前述のように選択・処理操作を繰り返して行う必要があり、操作性が極めて悪いという課題があり、さらには、ドラッグ操作によって複数の情報を選択して同一の処理を実行する際には、連続した属性情報が選択できるだけであって、任意に複数の属性情報を選択することができず、この点においても、操作性が極めて悪いという課題がある。
【０００８】
本発明の目的はメモリに格納された情報を選択する際の操作性が良好な情報端末装置及び情報選択プログラムを提供することにある。
【０００９】
【課題を解決するための手段】
本発明によれば、少なくとも１以上の情報を記憶するとともに、前記情報を識別する属性情報を表示部に一覧表示可能な情報端末装置において、前記属性情報の一覧画面で任意の属性情報に対してポイント操作することにより該ポイント操作された属性情報に対応する情報の表示又は起動する第１モードと、前記属性情報の一覧表示画面で任意の属性情報に対して順次ポイント操作することにより該ポイント操作された属性情報に対する情報を順次選択候補として追加する第２のモードと、前記第１のモードと前記第２のモードとを選択的に切り替えるモード選択手段とを有し、予め定められたポイント操作により、前記第２のモードで選択候補となった少なくとも１以上の情報に対して一括して同じ処理を行うことを特徴とする情報端末装置が得られる。
【００１０】
本発明によれば、少なくとも１以上の情報を記憶するとともに、前記情報を表示部に一覧表示可能な情報端末装置において、揺動又は回動可能であり且つ押圧可能なコントロールスイッチ部と、前記情報の一覧画面で任意の情報を前記コントロールスイッチ部の揺動又は回動操作により選択し、前記コントロールスイッチ部の押圧操作により該選択した情報を表示又は起動する第３のモードと、前記情報の一覧表示画面で、任意の情報を前記コントロールスイッチ部の揺動又は回動操作により選択し、前記コントロールスイッチ部の押圧操作により該選択した情報を選択候補として順次追加するとともに、予め定められた他の操作により前記順次追加された選択候補の情報全てを削除する第４のモードとを備え、前記第３のモードと前記第４のモードとを選択的に切り替え可能にしたことを特徴とする情報端末装置が得られる。
【００１１】
本発明によれば、タッチパネルを備えるとともに、記憶している電子メールを前記タッチパネル上に一覧表示可能な情報端末装置において、前記電子メールの覧画面で任意の電子メールに対してタッチ操作することにより該タッチ操作された電子メールの内容を表示する画面に移行する第５のモードと、前記電子メールの一覧表示画面で任意の電子メールに対して順次タッチ操作することにより該タッチ操作された電子メールを順次選択候補として追加するとともに、予め定められたタッチ操作により前記順次選択候補として追加された電子メールの全てを削除する第６のモードとを備え、前記第５のモードと前記第６のモードとをタッチ操作にて選択的に切り替え可能にしたことを特徴とする情報端末装置が得られる。
【００１２】
本発明によれば、記憶している受信メールを表示部に一覧表示可能な情報端末装置において、揺動又は回動可能であり且つ押圧可能なコントロールスイッチ部と、前記電子メールの一覧画面で任意の電子メールを前記コントロールスイッチ部の揺動又は回動操作により選択し、前記コントロールスイッチ部の押圧操作により該選択した電子メールの内容を表示する画面に移行する第７のモードと、前記電子メールの一覧表示画面で、任意の電子メールを前記コントロールスイッチ部の揺動又は回動操作により選択し、前記コントロールスイッチ部の押圧操作により該選択した電子メールを選択候補として順次追加するとともに、予め定められた他の操作により前記順次追加された選択候補の電子メール全てを削除する第８のモードとを備え、前記第７のモードと前記第８のモードとを選択的に切り替え可能にしたことを特徴とする情報端末装置が得られる。
【００１３】
本発明によれば、少なくとも１以上の情報を記憶するとともに、前記情報を識別する属性情報を表示部に一覧表示可能な情報端末装置で動作し、前記属性情報の一覧画面で任意の属性情報に対してポイント操作することにより該ポイント操作された属性情報に対応する情報の表示又は起動する第１ステップと、前記属性情報の一覧表示画面で任意の属性情報に対して順次ポイント操作することにより該ポイント操作された属性情報に対する情報を順次選択候補として追加する第２のステップと、前記第１のモードと前記第２のモードとを選択的に切り替えるモード選択ステップと、予め定められたポイント操作により、前記第２のモードで選択候補となった少なくとも１以上の情報に対して一括して同じ処理を行う処理ステップとを有することを特徴とする情報選択プログラムが得られる。
【００１４】
本発明によれば、少なくとも１以上の情報を記憶するとともに、前記情報を表示部に一覧表示可能な情報端末装置で動作し、前記情報の一覧画面で任意の情報を、揺動又は回動可能であり且つ押圧可能なコントロールスイッチ部の揺動又は回動操作により選択し、前記コントロールスイッチ部の押圧操作により該選択した情報を表示又は起動する第３のステップと、前記情報の一覧表示画面で、任意の情報を前記コントロールスイッチ部の揺動又は回動操作により選択し、前記コントロールスイッチ部の押圧操作により該選択した情報を選択候補として順次追加するとともに、予め定められた他の操作により前記順次追加された選択候補の情報全てを削除する第４のステップと、前記第３のステップと前記第４のステップとを選択的に切り替える切り替えステップとを有することを特徴とする情報選択プログラムが得られる。
【００１５】
【発明の実施の形態】
以下本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００１６】
まず、図１を参照して、ここでは、情報端末装置として携帯情報端末装置を例にあげて説明する。図示の携帯情報端末装置（ＰＤＡ）は、ユーザが手のひらに把持できる大きさであり、外装ケース１１の前面にはほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、外部メモリ媒体又は通信ボードが選択的に挿入される挿入スロット１６、各種データの送受信等を行う際に用いられる外部接続ターミナル１７、及びタッチペン（スタイラスペン）１８を収納するための収納部１９等が設けられている。
【００１７】
図１に示すように、サイドコントローラ１３、エスケープスイッチ１４、及び電源スイッチ１５は外装ケース１１の側面に一列に配置されており、図示の例では、図中上側から順にサイドコントローラ１３、エスケープスイッチ１４、及び電源スイッチ１５の順に配置されている。そして、サイドコントローラ１３は外装ケース１１を液晶パネル１２が正面にくるようにして、例えば、左手で把持した際に、サイドコントローラ１３が左手の親指が位置する可能性が高い位置に配置される。
【００１８】
サイドコントローラ１３の上側には外方向に延びる突起部１１ａが形成されており、サイドコントローラ１３の一部は外装ケース１１の側面に露出している。サイドコントローラ１３は図中実線矢印Ａで示す方向（上下方向）に所定の範囲で回動可能に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。この回動（揺動）の範囲は、左手の親指による略一回の押し上げ又は押し下げ操作で回動（揺動）操作可能な範囲に制限されている。そして、サイドコントローラ１３の露出面には、例えば、波形の突起状部１３ａが形成されている。
【００１９】
前述のように、サイドコントローラ１３は、例えば、左手親指で回動（揺動）操作又は押圧操作される。この際、左手親指は突起状部１３ａに触れることになる。サイドコントローラ１３は操作されない状態においては所定の位置（以下基準位置と呼ぶ）に位置しており、左手親指で基準位置から上方向に押し上げ操作すると、所定の回動量（揺動量）だけサイドコントローラ１３は回動（揺動）してそれ以上回動（揺動）しない。そして、左手親指をサイドコントローラ１３から放すと（つまり、サイドコントローラ１３を回動（揺動）するための力をなくすと）、サイドコントローラ１３は自動的に基準位置に復帰する。同様に、左手親指で基準位置から下方向に押し下げ操作すると、所定の回動量（揺動量）だけサイドコントローラ１３は回動（揺動）してそれ以上回動（揺動）しない。そして、左手親指をサイドコントローラ１３から放すとサイドコントローラ１３は自動的に基準位置に復帰する。なお、押圧操作は基準位置においてのみ行うことができる。また、サイドコントローラ１３は上述のようにして、ＰＤＡ自体を保持している左手親指で操作するために、この親指の動きは制限を受け、複雑な操作は困難となっている。従って、より複雑な操作を必要とする回動操作よりも揺動操作の方が操作しやすいため、サイドコントローラ１３は好ましくは揺動操作とすべきである。
【００２０】
サイドコントローラ１３は前述の回動操作又は押圧操作に応じて操作信号を送出し、この操作信号に応じて、後述するように、各種処理が実行される。
【００２１】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。なお、図示の例では、エスケープスイッチ１４は押圧操作され（実線矢印Ｃ）、これによって、エスケープ（ＥＳＣ）信号が送出され、後述するようにして、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００２２】
外部接続ターミナル１７によって、図示のＰＤＡは、例えば、通信機能を備えた専用の充電装置（所謂クレイドル装置）と接続することにより、パーソナルコンピュータ等とデータの送受信を行うことができる。また、外部接続ターミナル１７によって充電を行うことができる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）及び接触軌跡等を検出するタッチセンサを有している。
【００２３】
次に、図２を参照して、図示のＰＤＡは、中央処理装置（ＣＰＵ）２１を有しており、ＲＯＭ等の記憶部２２に格納された制御プログラムに応じてＰＤＡ全体の制御を行うとともに、記憶部２２に格納されたアプリケーションプログラムに応じて後述する各種処理を実行する。なお、アプリケーションプログラムは挿入スロット１６に挿入される外部メモリ媒体から取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。
【００２４】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００２５】
図示のＰＤＡにはメール送受信部（メール送受信機能）２８が備えられており、このメール送受信部２８はＣＰＵ２１に接続されている。そして、メール送受信部２８は、例えば、携帯電話機等の通信機能を備えた通信ボードが前述のとおり挿入スロット１６に挿入された場合には、メールの送受信が可能となる。そして、メールの送信及び受信の都度、ＣＰＵ２１は送信メール及び受信メールを記憶部２２ａに記録する。これら送信メール及び受信メールは、記憶部２２ａから読み出して閲覧することができる。
【００２６】
いま、ＰＤＡが電源オフ状態である際に、電源スイッチ１５が押し上げ操作されると、電源スイッチ操作検出部２５ではこの押し上げ操作を検知して電源スイッチ１５操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を表示する。
【００２７】
ランチャ画面には、メニュー項目（選択項目）として、例えば、メール、ブラウザ、アドレス帳、スケジュール、メモ帳、ファイルビューア、システム、及び設定等がアイコンとともに表示される。つまり、記憶部２２にはこれらメニュー項目に関するアプリケーションプログラム（アプリケーションソフト）が格納されていることになる。ランチャ画面の下側にはツールバーが表示され、上側には、有用情報として年月日及び時刻が表示される。
【００２８】
一方、サイドコントローラ１３を基準から上側に操作（回動又は揺動）すると、サイドコントローラ操作検出部２３ではこの上側操作を検知して、上側操作信号をＣＰＵ２１に与える。これによって、ＣＰＵ２１は、ランチャ画面においてカーソルを上側に移動させることになる。また、サイドコントローラ１３を基準から下側に操作すると、サイドコントローラ操作検出部２３ではこの下側操作を検知して、下側操作信号をＣＰＵ２１に与える。これによって、ＣＰＵ２１は、ランチャ画面においてカーソルを下側に移動させることになる。そして、メニュー項目の一つにカーソルを位置づけて、サイドコントローラ１３を押圧すると、サイドコントローラ操作検出部２３ではこの押圧操作を検知して、押圧操作信号をＣＰＵ２１に与える。これによって、ＣＰＵ２１は、カーソルが位置するメニュー項目を選択して、この選択したメニュー項目に係るアプリケーションプログラムが起動されて、当該メニュー項目に係る操作画面に遷移する。
【００２９】
ここで、タップ操作又はサイドコントローラ操作によって、ランチャ画面上でメールを選択・起動すると、メールトップ画面が表示される。このメールトップ画面には、新着メール一覧、メール作成、メール一覧、ドラフト、及びサーバ環境設定欄があり、いま、タップ操作又はサイドコントローラ操作によって新着メール一覧を選択・起動すると、ＣＰＵ２１は図３に示す新着メール一覧画面を液晶パネル１２上に表示する。なお、この新着メール一覧画面には新着メール及び未読メールが表示される。
【００３０】
図３を参照して、新着メール一覧画面にはタイトルバー３１及びタスクバー３２が表示されており、さらに、属性情報表示欄３３が規定され、この属性情報表示欄３３には新着メール毎の属性情報が表示される。つまり、属性情報表示欄３３には新着メールの属性情報一覧が表示されることになる。新着メール一覧画面の下部には、複数の機能ボタンが表示されており、図示の例では、機能ボタンとして一括受信ボタン３４、返信ボタン３５、転送ボタン３６、及び削除モードボタン３７が表示されている。そして、ここでは、削除モードボタン３７が後述する選択モードボタンとして機能する。なお、タイトルバー３１にはアプリケーション名及び年月日日時等が表示され、機能ボタンの下側に表示されるタスクバー３２には種々のタスク機能等を規定する図示しないアイコン等が表示される。
【００３１】
図３において、一括受信ボタン３４をタップ操作すると、ＣＰＵ２１はＰＤＡに設定された全サーバからメールを受信する。返信ボタン３５をタップ操作すると、ＣＰＵ２１はカーソル５５が位置する受信メールに対する返信を行うための返信メール作成画面（メール編集画面：図示せず）を液晶パネル１２に表示する。転送ボタン３６をタップ操作すると、ＣＰＵ２１はカーソル５５が位置する受信メールを転送するためのメール編集画面を液晶パネル１２に表示する。そして、削除モードボタン３７をタップ操作すると、ＣＰＵ２１は後述する削除モードへと移行する。なお、新着メール毎の属性情報としては、サーバ種別を示すサーバアイコン４１、受信日時４２、相手側４３、件名４４、及び添付ファイルの存否を示す存否表示４５がある。この図３において、任意の新着メールの属性情報であるサーバアイコン、受信日時、相手側、件名、存否表示のいずれか１つの領域をタップ操作すると、ＣＰＵ２１は当該属性情報に係る新着メールの内容を詳細に表示する画面に自動的に移行する。つまり、新着メール一覧画面において、任意の新着メールのタップ操作を行うと、該新着メールの表示画面を開くことができる。上述のような新着メールを開く動作は、サイドコントローラ１３によっても行うことができる。図３の新着メール一覧画面において、サイドコントローラ１３を回動又は揺動操作すると、この回動又は揺動操作に応じてカーソル５５が図中上下方向に新着メール一覧画面上を移動する。そして、ユーザがメールを開いて内容を確認したい新着メールに係る属性情報にカーソルを位置付けた後、サイドコントローラ１３を押し込み操作すると、該属性情報に係る新着メールが開かれることになる。つまり、サイドコントローラ１３の回動又は揺動操作及び押し込み操作によって、ＣＰＵ２１はカーソル５５が位置する新着メールを開く動作をすることができる。
【００３２】
ここで、削除モードボタン３７をタップすると、ＣＰＵ２１は削除モードに移行して、図４に示す削除モード新着メール一覧画面を表示する。図４においては、機能ボタンとして、全件選択ボタン５１、選択反転ボタン５２、実行ボタン５３、及びキャンセルボタン５４が表示される。この削除モード新着メール一覧画面において、任意の新着メールの属性情報であるサーバアイコン、日時、相手、件名、添付に対応するいずれか１つの表示領域をタップ操作すると、ＣＰＵ２１は当該属性情報に係る新着メールを削除対象として選択する。この際、カーソル５５はタップ操作された新着メール上に位置することになって、フォーカスされた状態となる。このフォーカスされた状態では、選択された新着メールは、例えば、背景が黒色となり、文字はシアンとなる。
【００３３】
その後、さらに別の新着メールに係る属性情報を上述のようにタップ操作すると、ＣＰＵ２１はこの属性情報に係る新着メールを削除対象とする。この際、カーソル５５がこの新着メールに係る属性情報上に移動して、今度はこの新着メールがフォーカスされることになって、以前フォーカスされ且つタップ操作された削除対象選択新着メール（つまり、削除対象属性情報）は、例えば、その背景が青色となり、文字は黄色となる。
【００３４】
このようにして、削除モードにおいて、任意の属性情報をタップ操作すると、該当する属性情報に係る新着メールが削除対象として選択されることになる。つまり、ここでは、属性情報をタップ操作すると、当該属性情報に係る新着メールを削除対象として選択することを示す選択信号が生成されて、ＣＰＵ２１に与えられることになる。そして、ＣＰＵ２１ではこの選択信号に応じて該当する新着メールを削除対象とすることになる。
【００３５】
上述のような削除対象新着メールの選択は、サイドコントローラ１３によっても行うことができる。前述のように、図４の削除モード新着メール一覧画面において、サイドコントローラ１３を回動又は揺動操作すると、この回動又は揺動操作に応じてカーソル５５が図中上下方向に削除モード一覧画面上を移動することになる。そして、ユーザが削除対象とすべき新着メールに係る属性情報にカーソルを位置づけた後、サイドコントローラ１３を押し込み操作すると、当該属性情報に係る新着メールが削除対象として選択される。つまり、サイドコントローラ１３の回動又は揺動及び押し込み操作によってサイドコントローラ操作検出部２３からＣＰＵ２１に選択信号が与えられることになって、ＣＰＵ２１はカーソル５５が位置する属性情報に係る新着メールを削除対象として選択することになる。
【００３６】
なお、削除対象として選択されない属性情報（つまり、非選択属性情報）上にカーソル５５が位置すると（つまり、フォーカス状態となると）、当該属性情報は、例えば、その背景が黒色となり、文字が白色となる。また、非選択属性情報がフォーカスされていない状態では、例えば、その背景は白色となり、文字は黒色となる。
【００３７】
上述のようにして、任意に削除対象とする新着メールを選択した後、実行ボタン５３をタップ操作すると、ＣＰＵ２１はこのタップ操作によって削除対象とされた新着メールを一括して記憶部２２ａから削除する。また、実行ボタン５３のタップ操作によらず、サイドコントローラ１３の所定時間以上継続した押し込み操作により、削除対象とされた新着メールを一括して削除するようにしてもよい。
【００３８】
なお、図４において、全件選択ボタン５１をタップ操作すると、ＣＰＵ２１は全ての新着メールを削除対象として選択する。また、選択反転ボタン５２をタップ操作すると、ＣＰＵ２１は削除モード新着メール一覧画面において、新着メール全ての選択状態を反転させる（つまり、選択と非選択とをトルグ的に反転させることになる）。さらに、キャンセルボタン５４をタップ操作すると、ＣＰＵ２１は、図３に示す新着メール一覧画面を液晶パネル１２上に表示する。
【００３９】
上述のようにして、新着メール一覧画面において、選択機能ボタンである削除モードボタンをタップ操作すると、ＣＰＵ２１は削除モードとなって、削除モード新着メール一覧画面を液晶パネル１２に表示する。そして、ＣＰＵ２１は、選択信号に応じて選択モードである削除モード新着メール一覧画面から選択すべき新着メールを選択新着メール（つまり、削除対象新着メール）として順次選択することになるから、任意の（連続しない）複数の新着メールを削除対象として選択できることになる。その後、実行ボタンをタップすれば、削除対象とされた新着メールがメモリ機能である記憶部２２ａから削除されることになる。
【００４０】
さらに、削除モードとなると、削除すべき新着メールに係る属性情報が削除モード新着メール一覧画面でタップ操作されると選択信号が生成され、これによって、ＣＰＵ２１が削除対象となる新着メールを選択することになる。そして、上述のような削除対象とする新着メールを選択する際には、サイドコントローラ１３によっても前述のようにして行うことができ、出先等のモバイル環境における操作性を向上させることができる。
【００４１】
ところで、前述のメールトップ画面で、メール一覧を選択・起動すると、メール一覧画面が表示される。このメール一覧画面にはおいては、受信メール、送信済メール／送信予約メール、及びドラフトメールが選択的に表示される。つまり、メール一覧画面において、”受信箱”を選択すると、受信メールのすべてについて受信メール毎に前述した属性情報一覧が表示され、”送信箱”を選択すると、送信済メール／送信予約メールのすべてについてメール毎に前述した属性情報一覧が表示される。そして、”ドラフト”を選択すると、作成中であるドラフトメールのすべてについてメール毎に前述した属性情報一覧が表示される。図３に関連して説明したようにして、任意のメールのタップ操作又はサイドコントローラ１３の回動又は揺動及び押し込み操作によって該任意のメールを開くことができる。また、同じようにして、図４で関連して説明したようにして、削除モードボタンをタップ操作して、削除モードとし、タップ操作又はサイドコントローラ操作によって削除対象とするメールを選択して、実行ボタンをタップ操作すれば、所望のメールを削除することができる。
【００４２】
なお、前述の説明では、メールの削除を例にあげて説明したが、メール以外の情報を削除するようにしてもよい。例えば、記憶部２２ａなどに記憶している各種データやアプリケーションプログラム自体のファイルデータ等を前述のように一覧表示し、タップ操作又はサイドコントローラ操作により削除対象を選択して、削除するようにしてもよい。加えて、削除ばかりでなく、前述のようにして、選択機能ボタンをタッチすると、予め定められたモード（削除モード又は他の処理モード）へ移行して、情報を選択した後、実行ボタンをタッチ操作すると、予め定められたモードに対応する処理（予め定められた処理）を実行するようにしてもよい。例えば、前述のようにして、情報を選択した後、実行ボタンをタッチ操作すると、当該選択情報をあるメモリ（ファイル）から他のファイルにコピー追加するようにしてもよい。また、上記動作とともに、上述のファイルデータなどの一覧表示画面において、上述の予め定められたモードに移行することなく、任意のファイルデータのタップ操作や、任意のファイルデータをサイドコントローラ１３の回動又は揺動操作と押し込み操作によって、該任意のファイルデータを自動的に開いたり、自動的に起動することもできる。つまり、ファイルデータの一覧画面にて、単純に任意の１つのファイルデータを前述したタップ操作や前述したサイドコントローラ操作により、該任意のファイルデータを開く又は起動することができる。
【００４３】
以上のように、属性情報一覧画面が表示された際、属性情報一覧画面に選択機能ボタンを表示して、選択機能ボタンがタッチ操作されると、選択モードに移行して選択すべき情報を選択する選択信号に応じて属性情報一覧画面から選択すべき情報を選択情報として順次選択するようにしたから、任意に情報を選択することができ、操作性が向上するという効果がある。
【００４４】
また、選択モードとなると、属性情報一覧画面に実行ボタンを表示して、実行ボタンがタッチ操作されると選択情報について予め規定された処理を行うようにしたから、任意に選択された情報に対して一括して同一の処理を行うことができ、操作性が向上するという効果がある。
【００４５】
また、選択モードでは選択すべき属性情報が属性情報一覧画面でタッチ操作されると、選択信号を生成するようにしたから、簡単にしかも任意に情報の選択ができるという効果がある。
【００４６】
予め規定された範囲で揺動可能に支持されるとともに押圧可能に支持されたコントロールスイッチ部が、選択モードの際、揺動又は押圧操作されると、選択信号を送出するようにしたから、簡単な操作で任意に情報を選択できるという効果がある。
【００４７】
表示部を情報端末装置筐体のほぼ前面にわたって配置して、コントロールスイッチ部を情報端末装置筐体の側面に配置し、コントロールスイッチ部が側面に対して平行な軸に対して揺動可能に支持されるとともに軸に対して直交する方向に押圧されるようにしたから、モバイル環境においても容易にしかも任意に情報の選択ができるという効果がある。
【００４８】
選択信号に応じて選択された属性情報を他の属性情報と区別して色分けするようにしたから、ユーザは一目で選択された属性情報を識別できるという効果がある。
【００４９】
【発明の効果】
以上説明したように、本発明では、メモリに格納された情報を選択する際、簡単な操作で情報を選択することができるという効果がある。
【図面の簡単な説明】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置に表示される新着メール一覧画面の一例を示す図である。
【図４】図３に示す新着メール一覧画面から削除モードに移行した際の新着メール一覧画面（削除モード新着メール一覧画面）の一例を示す図である。
【符号の説明】
１１　外装ケース
１２　液晶パネル
１３　コントロールスイッチ（サイドコントローラ）
１４　エスケープスイッチ
１５　電源オン／オフスイッチ（電源スイッチ）
１６　挿入スロット
１７　外部接続ターミナル
１８　タッチペン（スタイラスペン）
１９　収納部
２１　中央処理装置（ＣＰＵ）
２２　記憶部
２３　サイドコントローラ操作検出部
２４　エスケープスイッチ操作検出部
２５　電源スイッチ操作検出部
２６　タッチパネル操作検出部
２７　液晶パネル駆動部
【図１】
2004038308.tif 000003
【図２】
2004038308.tif 000004
【図３】
2004038308.tif 000005
【図４】
2004038308.tif 000006